(57)【要約】【課題】（マニュアル露出モードのオートＩＳＯ設定時に）露出補正値やリアルタイム測光値を確認できる上、ＡＥブラケットを行う際、ＡＥブラケットの段数やＡＥブラケットの撮影枚数も確認できる撮像装置を提供すること。【解決手段】１つの指標において、撮影モードがマニュアル露出モードでない場合は、露出補正値を表示し、一方、撮影モードがマニュアル露出モードである場合は、測光／測光タイマー中は、リアルタイム測光値を表示し、測光／測光タイマー中でない場合は、露出補正値を表示する第１の値表示手段を持ち、前記第１の値表示手段は、露出補正値を表示する際、ＡＥブラケットの段数が０以外の場合は、ＡＥブラケットの段数とＡＥブラケットの撮影枚数も表示することを特徴とする構成とした。【選択図】図３
2016009969.tif 000002
【特許請求の範囲】
【請求項１】
１つの指標において、
撮影モードがマニュアル露出モードでない場合は、露出補正値を表示し、
一方、撮影モードがマニュアル露出モードである場合は、測光／測光タイマー中は、リアルタイム測光値を表示し、測光／測光タイマー中でない場合は、露出補正値を表示する第１の値表示手段（Ｓ３０１〜Ｓ３０７）を持ち、
前記第１の値表示手段は、露出補正値を表示する際、ＡＥブラケットの段数が０以外の場合は、ＡＥブラケットの段数とＡＥブラケットの撮影枚数も表示する（Ｓ６０１〜Ｓ６０６）
ことを特徴とする撮像装置。
【請求項２】
前記第１の値表示手段は、静止画モードの表示であり、動画モードでは、露出補正値とリアルタイム測光値を別の指標で表示する第２の値表示手段（Ｓ３０８〜Ｓ３１５）を持つことを特徴とする請求項１に記載の撮像装置。
【請求項３】
前記第２の値表示手段は、リアルタイム測光値を、マニュアル露出モードの測光／測光タイマー中のみ表示する（Ｓ３０８〜３１２）ことを特徴とする請求項２に記載の撮像装置。
【請求項４】
前記第２の値表示手段は、露出補正値を、露出補正値が０以外の場合のみ表示する（Ｓ３１０、Ｓ３１１，Ｓ３１３、Ｓ３１４）ことを特徴とする請求項２又は請求項３に記載の撮像装置。
【請求項５】
１つの指標において、
撮影モードがマニュアル露出モードでない場合は、露出補正値を表示し、
一方、撮影モードがマニュアル露出モードである場合は、測光／測光タイマー中は、リアルタイム測光値を表示し、測光／測光タイマー中でない場合は、露出補正値を表示する第１の値表示工程（Ｓ３０１〜Ｓ３０７）を持ち、
前記第１の値表示工程は、露出補正値を表示する際、ＡＥブラケットの段数が０以外の場合は、ＡＥブラケットの段数とＡＥブラケットの撮影枚数も表示する（Ｓ６０１〜Ｓ６０６）
ことを特徴とする撮像装置の制御方法。
【発明の詳細な説明】
【技術分野】
【０００１】
本発明は、撮像装置及び撮像装置の制御方法に関し、特に露出補正値とリアルタイム測光値の表示の制御に関するものである。
【背景技術】
【０００２】
従来、撮像装置には、撮影モードが（シャッター速度と絞り数値を自由に組み合わせて撮影することが可能である）マニュアル露出モードにおいて、オートＩＳＯ設定時に露出補正が設定できて、且つ、ユーザが露出補正値とリアルタイム測光値を両方確認することができるものが存在する。特許文献１では、露出補正値を数値で、リアルタイム測光値をゲージで、それぞれ別の位置に表示する。
【先行技術文献】
【特許文献】
【０００３】
【特許文献１】特開２００７−１１０４３４号公報
【発明の概要】
【発明が解決しようとする課題】
【０００４】
しかしながら、上述の特許文献に開示された従来技術の表示方法では、露出補正値を数値で表示するため、露出を変えての撮影（ＡＥブラケット）を行う際、ＡＥブラケットの段数、ＡＥブラケットの撮影枚数が分からない。
【０００５】
そこで、本発明の目的は、（マニュアル露出モードのオートＩＳＯ設定時に）露出補正値やリアルタイム測光値を確認できる上、ＡＥブラケットを行う際、ＡＥブラケットの段数やＡＥブラケットの撮影枚数も確認できる撮像装置を提供することである。
【課題を解決するための手段】
【０００６】
上記目的を達成するために、本発明は、１つの指標において、撮影モードがマニュアル露出モードでない場合は、露出補正値を表示し、一方、撮影モードがマニュアル露出モードである場合は、測光／測光タイマー中は、リアルタイム測光値を表示し、測光／測光タイマー中でない場合は、露出補正値を表示する第１の値表示手段を持ち、前記第１の値表示手段は、露出補正値を表示する際、ＡＥブラケットの段数が０以外の場合は、ＡＥブラケットの段数とＡＥブラケットの撮影枚数も表示することを特徴とする。
【発明の効果】
【０００７】
本発明によれば、（マニュアル露出モードのオートＩＳＯ設定時に）露出補正値やリアルタイム測光値を確認できる上、ＡＥブラケットを行う際、ＡＥブラケットの段数やＡＥブラケットの撮影枚数も確認できる撮像装置を提供することができる。
【図面の簡単な説明】
【０００８】
【図１】本発明の撮像装置の一例としてのデジタルカメラの外観図である。
【図２】本実施形態による、デジタルカメラ１００の構成例を示すブロック図である。
【図３】本実施形態による、露出補正値とリアルタイム測光値の表示動作手順の一例を示すフローチャートである。
【図４】本実施形態による、静止画モードでの露出補正値とリアルタイム測光値の表示の一例である。
【図５】本実施形態による、動画モードでの露出補正値とリアルタイム測光値の表示の一例である。
【図６】本実施形態による、露出補正値を表示する際の、露出補正値とＡＥブラケットの段数、ＡＥブラケットの撮影枚数の表示動作手順の一例を示すフローチャートである。
【図７】本実施形態による、露出補正値の表示の一例である。
【図８】本実施形態による、ＡＥブラケットを行う際の、露出補正値、ＡＥブラケットの段数、ＡＥブラケット撮影枚数の表示の一例である。
【発明を実施するための形態】
【０００９】
以下、図面を参照して本発明の好適な実施形態を説明する。
【実施例１】
【００１０】
図１（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。
【００１１】
図１において、表示部２８ａは画像や各種情報を表示する、カメラ背面に設けられた表示部である。表示部２８ｂは、カメラ上部に設けられた表示部であり、デジタルカメラ１００に設定されている撮影条件などの各種情報を表示する。シャッターボタン６１は撮影指示を行うための操作部である。モード切替スイッチ６０は各種モードを切り替えるための操作部である。
【００１２】
端子カバー４０は該部機器との接続ケーブルとデジタルカメラ１００とを接続する接続ケーブル等のコネクタ（不図示）を保護するカバーである。
【００１３】
メイン電子ダイヤル７１は操作部７０に含まれる回転操作部材であり、このメイン電子ダイヤル７１を回すことで、シャッター速度や絞りなどの設定値の変更等が行える。
【００１４】
電源スイッチ７２はデジタルカメラ１００の電源のＯＮ及びＯＦＦを切り替える操作部材である。
【００１５】
サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。
【００１６】
ＳＥＴボタン７５は操作部７０に含まれ、押しボタンであり、主に選択項目の決定などに用いられる。
【００１７】
ＬＶボタン７６は操作部７０に含まれ、メニューボタンにおいてライブビュー（以下、ＬＶ）のＯＮとＯＦＦを切り替えるボタンである。動画撮影モードにおいては、動画撮影（記録）の開始、停止の指示に用いられる。
【００１８】
拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。
【００１９】
縮小ボタン７８は操作部７０に含まれ、拡大された再生画像の拡大率を低減させ、表示された画像を縮小させるためのボタンである。
【００２０】
再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００２１】
クイックリターンミラー１２は、システム制御部５０から指示されて、不図示のアクチュエータによりアップダウンされる。
【００２２】
通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。接眼ファインダー１６に接眼して覗き込むことで、ファインダー内の表示部２８ｃを視認することができる。
【００２３】
蓋２０２は記録媒体２００を格納ひたスロットの蓋である。グリップ部９０は、ユーザーがデジタルカメラ１００を構えた際に右手で握りやすい形状とした保持部である。
【００２４】
図２は、本実施形態によるデジタルカメラ１００の構成例を示すブロック図である。
【００２５】
図２において、レンズユニット１５０は、交換可能な撮影レンズを搭載するレンズユニットである。レンズ１０３は通常、複数枚のレンズから構成されるが、ここでは簡略して一枚のレンズのみで示している。
【００２６】
通信端子６はレンズユニット１５０がデジタルカメラ１００側と通信を行う為の通信端子であり、通信端子１０はデジタルカメラ１００がレンズユニット１５０側と通信を行う為の通信端子である。
【００２７】
レンズユニット１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００２８】
ＡＥセンサー１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。
【００２９】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００３０】
撮影者は、ペンタプリズム１４とファインダー１６を介して、フォーカシングスクリーン１３を観察することで、レンズユニット１５０を通して得た被写体の光学像の焦点や構図の確認が可能となる。
【００３１】
フシャッター１０１は、システム制御部５０の制御で撮像部２２の露光時間を自由に制御できるフォーカルプレーンシャッターである。
【００３２】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００３３】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００３４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８ａに表示するための画像データを格納する。メモリ３２は、所定枚数の静止画像や所定時間の動画像および音声を格納するのに十分な記憶容量を備えている。
【００３５】
また、メモリ３２は画像表示用のメモリ（ビデオメモリ）を兼ねている。Ｄ／Ａ変換器１９ａは、メモリ３２に格納されている画像表示用のデータをアナログ信号に変換して表示部２８ａに供給する。こうして、メモリ３２に書き込まれた表示用の画像データはＤ／Ａ変換器１９ａを介して表示部２８ａにより表示される。表示部２８ａは、ＬＣＤ等の表示器上に、Ｄ／Ａ変換器１９ａからのアナログ信号に応じた表示を行う。Ａ／Ｄ変換器２３によって一度Ａ／Ｄ変換されメモリ３２に蓄積されたデジタル信号をＤ／Ａ変換器１９ａにおいてアナログ変換し、表示部２８ａに逐次転送して表示することで、電子ビューファインダとして機能し、スルー画像表示（ライブビュー表示）を行える。
【００３６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３７】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１９ａ、表示部２８ａ、Ｄ／Ａ変換器１９ｂ、表示部２８ｂ、ファインダー内表示部２８ｃ等を制御することにより表示制御も行う。
【００３８】
システムタイマー５３は各種制御に用いる時間や、内蔵された時計の時間を計測する計時部である。
【００３９】
モード切替スイッチ６０、第１シャッタースイッチ６２、第２シャッタースイッチ６４、操作部７０はシステム制御部５０に各種の動作指示を入力するための操作手段である。
【００４０】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。
【００４１】
モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。
【００４２】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００４３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００４４】
操作部７０の各操作部材は、表示部２８ａに表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８ａに表示される。利用者は、表示部２８ａに表示されたメニュー画面と、上下左右の４方向ボタンやＳＥＴボタンとを用いて直感的に各種設定を行うことができる。
【００４５】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００４６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４７】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４８】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４９】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００５０】
以下、図３を参照して、本発明の実施例による、露出補正値とリアルタイム測光値の表示動作について説明する。図３は本実施形態において、露出補正値とリアルタイム測光値の表示動作手順の一例を示すフローチャートである。図４は、表示部２８ａ、表示部２８ｂ、表示部２８ｃ（以下、表示部２８ａ〜ｃ）に表示する、静止画モードでの露出補正値とリアルタイム測光値の表示の一例である。また、図５は、表示部２８ａ〜ｃに表示する、動画モードでの露出補正値とリアルタイム測光値の表示の一例である。
【００５１】
Ｓ３０１では、システム制御部５０は、メモリ３２に記録されている設定を取得し、静止画モードか、それとも動画モードかを判定する。静止画モードである場合は、Ｓ３０２に進み、動画モードである場合は、Ｓ３０８に進む。
【００５２】
Ｓ３０２では、システム制御部５０は、メモリ３２に記録されている撮影モードを取得し、マニュアル露出モードかどうかを判定する。マニュアル露出モードである場合は、Ｓ３０３に進み、マニュアル露出モードでない場合は、Ｓ３０６に進む。
【００５３】
Ｓ３０３では、システム制御部５０は、メモリ３２に記録されている設定を取得し、測光／測光タイマー中かどうかを判定する。測光／測光タイマー中である場合は、Ｓ３０４に進み、測光／測光タイマー中でない場合はＳ３０５に進む。
【００５４】
Ｓ３０４では、システム制御部５０は、図４のように、表示部２８ａ〜ｃに、リアルタイム測光値を表示する。
【００５５】
Ｓ３０５では、システム制御部５０は、メモリ３２に記録されている露出補正設定を取得し、露出補正が０かどうかを判定する。露出補正が０以外の場合は、Ｓ３０６に進み、露出補正が０の場合は、Ｓ３０７に進む。
【００５６】
Ｓ３０６では、システム制御部５０は、図４のように、表示部２８ａ〜ｃに、露出補正値を表示する。
【００５７】
Ｓ３０７では、システム制御部５０は、図４のように、表示部２８ａ〜ｃに、露出補正値もリアルタイム測光値も表示せず、ゲージのみ表示する。
【００５８】
尚、静止画モードで露出補正値を表示する場合において、ＡＥブラケットが設定されている場合は、図８のように、ＡＥブラケットの段数やＡＥブラケットの撮影枚数も表示する。図８は、露出補正が＋２／３段、ＡＥブラケットの段数が２／３段、ＡＥブラケットの撮影枚数が７枚の場合の表示例である。
【００５９】
Ｓ３０８では、システム制御部５０は、メモリ３２に記録されている撮影モードを取得し、マニュアル露出モードかどうかを判定する。マニュアル露出モードである場合は、Ｓ３０９に進み、マニュアル露出モードでない場合は、Ｓ３１３に進む。
【００６０】
Ｓ３０９では、システム制御部５０は、メモリ３２に記録されている設定を取得し、測光／測光タイマー中かどうかを判定する。測光／測光タイマー中である場合は、Ｓ３１０に進み、測光／測光タイマー中でない場合はＳ３１３に進む。
【００６１】
Ｓ３１０では、システム制御部５０は、メモリ３２に記録されている露出補正設定を取得し、露出補正が０かどうかを判定する。露出補正が０以外の場合は、Ｓ３１１に進み、露出補正が０の場合は、Ｓ３１２に進む。
【００６２】
Ｓ３１１では、システム制御部５０は、図５のように、表示部２８ａ〜ｃに、露出補正値とリアルタイム測光値を別々の位置に表示する。
【００６３】
Ｓ３１２では、システム制御部５０は、図５のように、表示部２８ａ〜ｃに、リアルタイム測光値を表示する。
【００６４】
Ｓ３１３では、システム制御部５０は、メモリ３２に記録されている露出補正設定を取得し、露出補正が０かどうかを判定する。露出補正が０以外の場合は、Ｓ３１４に進み、露出補正が０の場合は、Ｓ３１５に進む。
【００６５】
Ｓ３１４では、システム制御部５０は、図５のように、表示部２８ａ〜ｃに、露出補正値を表示する。
【００６６】
Ｓ３１５では、システム制御部５０は、図５のように、表示部２８ａ〜ｃに、露出補正値もリアルタイム測光値も表示しない。
【００６７】
以上のように、静止画モードでは、露出補正値とリアルタイム測光値を、同じ１つの指標を使って、表示する。これは、静止画モードでは、これらの数値を、ファインダー内など、表示領域の制限が厳しい箇所で表示することもあり、なるべく小さい領域で表示することが必要だからである。
【００６８】
一方、動画モードでは、露出補正値とリアルタイム測光値を、別の指標を使って、表示する。これは、静止画モードでは静止画撮影時に（必ず測光中になり）リアルタイム測光値を表示するので、  露出補正値とリアルタイム測光値の表示の切り替わりが分かるが、動画モードでは動画を撮影し続けるため、同じ１つの指標を使って表示していると、露出補正値とリアルタイム測光値の表示の切り替わりが分からず使いづらいためである。また、動画モードでは、これらの数値を、ファインダー内など、表示領域の制限が厳しい箇所に表示することがないという理由にもよる。
【００６９】
次に、図６を参照して、本発明の実施例による、Ｓ３０６で露出補正値を表示する際の、露出補正値とＡＥブラケットの段数、ＡＥブラケットの撮影枚数の表示動作について説明する。図６は本実施形態において、Ｓ３０６で露出補正値を表示する際の、露出補正値とＡＥブラケットの段数、ＡＥブラケットの撮影枚数の表示動作手順の一例を示すフローチャートである。
【００７０】
Ｓ６０１では、システム制御部５０は、メモリ３２に記録されている露出補正設定を取得する。
【００７１】
Ｓ６０２では、システム制御部５０は、メモリ３２に記録されているＡＥブラケットの段数設定を取得する。
【００７２】
Ｓ６０３では、システム制御部５０は、Ｓ６０２で取得したＡＥブラケットの段数設定が０かどうかを判定する。ＡＥブラケットの段数設定が０の場合は、Ｓ６０４に進み、ＡＥブラケットの段数設定が０以外の場合は、Ｓ６０５に進む。
【００７３】
Ｓ６０４では、システム制御部５０は、図７のように、表示部２８ａ〜ｃに、露出補正値を表示する。
【００７４】
Ｓ６０５では、システム制御部５０は、メモリ３２に記録されているＡＥブラケットの撮影枚数設定を取得する。
【００７５】
Ｓ６０６では、システム制御部５０は、図８のように、表示部２８に、露出補正値とＡＥブラケットの段数、ＡＥブラケットの撮影枚数を表示する。
【００７６】
以上のように、第１の実施例によれば、（マニュアル露出モードのオートＩＳＯ設定時に）露出補正値やリアルタイム測光値を確認できる上、ＡＥブラケットを行う際、ＡＥブラケットの段数やＡＥブラケットの撮影枚数も確認することができる。
【００７７】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７８】
１００  デジタルカメラ、２２  撮像部、２３  Ａ／Ｄ変換機、２４  画像処理部、
２８  表示部、５０  システム制御部、７０  操作部、２００  記憶媒体
【図１】
2016009969.tif 000003
【図２】
2016009969.tif 000004
【図３】
2016009969.tif 000005
【図４】
2016009969.tif 000006
【図５】
2016009969.tif 000007
【図６】
2016009969.tif 000008
【図７】
2016009969.tif 000009
【図８】
2016009969.tif 000010